(57)【要約】【課題】側面周囲の作業スペースが無い狭い場所であってもポンプのインペラーの抜き取り作業が容易に実施できるようにすることを課題とする。【解決手段】中心に雌ねじ孔２１を有し、この雌ねじ孔２１を挟んだ対称位置に配置された回転支持軸２２を備えた基枠２０と、各回転支持軸２２に軸支された二本一対のレバー２４と、一端に円盤２８が設けられ、外周に基枠２０の雌ねじ孔にねじ嵌合する雄ねじ２９が設けられ、中心軸部に雌ねじ孔３０が貫設されたアジャストねじ３１と、アジャストねじ３１の円盤側２８から雌ねじ孔３０にねじ込まれ、ねじ込み側先端が前記駆動軸の軸端に当接される長尺ボルト３２とを備え、二本一対のレバー２４のアジャストねじ側端がそれぞれアジャストねじ３１の円盤２８上面部分に接触可能に張り出されていると共に、他端にはゴム製インペラー５の軸部に係合する爪片２７が形成されてなる。【選択図】　図１
2004108305.tif 000002
【特許請求の範囲】
【請求項１】
外周に流入出口を有する円筒状ケーシング内に、ゴム製フィンを複数径方向に立設してなるゴム製インペラーを収納してなるポンプから、前記ゴム製インペラーを取り外す工具であって、
中心に雌ねじ孔を有し、この雌ねじ孔を挟んだ対称位置に前記雌ねじ孔と平行な平面内で前記雌ねじ孔の軸に対し直交する配置姿勢とされた回転支持軸を備えた基枠と、前記各回転支持軸に軸支された二本一対のレバーと、一端に円盤が設けられ、外周に前記基枠の雌ねじ孔にねじ嵌合する雄ねじが設けられ、中心軸部に雌ねじ孔が貫設されたアジャストねじと、該アジャストねじの円盤側から雌ねじ孔にねじ込まれ、ねじ込み側先端が前記駆動軸の軸端に当接される長尺ボルトとを備え、前記二本一対のレバーのアジャストねじ側端がそれぞれアジャストねじの円盤上面部分に接触可能に張り出されていると共に、他端には前記ゴム製インペラーの軸部に食い込む係合爪が形成されてなるポンプのゴム製インペラー取外し具。
【請求項２】
請求項１のポンプのゴム製インペラー取外し具において、二本一対をなすレバーのアジャストねじ側端の円盤上面部分張り出し、前記円盤表面と接触する部分に、前記円盤表面と接触摩擦を軽減する回転体が設けられてなるポンプのゴム製インペラー取外し具。
【発明の詳細な説明】
【０００１】
【発明の属する技術分野】
この発明はポンプのゴム製インペラー取外し具に関する。
【０００２】
【従来の技術】
小型船舶に搭載されるポンプ、例えば主機冷却用の海水ポンプとして、図５に示すように、流入口１、流出口２を有する円筒状ケーシング３内に、ゴム製フィン４…を複数枚径方向に立設してなるゴム製インペラー５を駆動軸に取り付けた構造のポンプが知られている（特開平１１−２５７２４８号公報）。
【０００３】
ところで、上記ポンプにおいて、ゴム製インペラー５は、図６に示すように円筒状基部５ａの外周にフィン４を放射状に形成した形状とされているが、図５に示したようにケーシング３内にセットされたときは各フィン４は屈曲状態とされてケーシング３内面に接して回転するからフィン４の磨耗を避けることができず、このためゴム製インペラーは定期交換部品とされている。
【０００４】
一方、上記ゴム製インペラー５は、駆動軸とスティックしてしまいやすく、手がかりも無いことも相俟ってペンチやニッパなどの一般工具では取り出しが容易でない問題がある。
【０００５】
そこで、特殊工具を用いて取外すことが提案されかつ実施されている。（例えば特許文献）
この工具は、図５に示すように、蝶ナット７を矢印方向に回して両側の爪部８、８を拡げインペラー５の円筒状基部５ａの外周のフィン４間に差込み、次いで蝶ナット７を逆方向へ回転させることで爪部８、８をゴム製とされた円筒状基部５ａに食いこませ、次いでハンドル９を回転操作して支持体１０より軸１１を突き出させ、先端を駆動軸６端面に当接した後もさらに回転させ、そのときの支持体１０の軸１１に対する相対変移を利用してインペラー５を引き抜くようにしたものである。
【０００６】
【特許文献１】
特開平１１−２５７２４８号公報図５
【０００７】
【発明が解決しようとする課題】
ところで、船舶の機関室内などは、特に小型船になるほどスペースの余裕が無い場合が多い。
【０００８】
従って、図５に示したような工具であっても、蝶ナット７を操作するための側面側操作スペースが非常に狭く、不可能ではないにしてもインペラーの抜き取り操作が非常に行い辛くなる場合が往々にしてあるといった問題があった。
【０００９】
この発明は、上記問題を解消し、側面周囲の作業スペースが無い、狭い場所であってもインペラーの抜き取り作業が容易に実施できるようにすることを課題としてなされたものである。
【００１０】
【課題を解決するための手段】
上記目的を達成するため、請求項１のポンプのゴム製インペラー取外し具は、中心に雌ねじ孔を有し、この雌ねじ孔を挟んだ対称位置に前記雌ねじ孔と平行な平面内で前記雌ねじ孔の軸に対し直交する配置姿勢とされた回転支持軸を備えた基枠と、前記各回転支持軸に軸支された二本一対のレバーと、一端に円盤が設けられ、外周に前記基枠の雌ねじ孔にねじ嵌合する雄ねじが設けられ、中心軸部に雌ねじ孔が貫設されたアジャストねじと、該アジャストねじの円盤側から雌ねじ孔にねじ込まれ、ねじ込み側先端が前記駆動軸の軸端に当接される長尺ボルトとを備え、前記二本一対のレバーのアジャストねじ側端がそれぞれアジャストねじの円盤上面部分に接触可能に張り出されていると共に、他端には前記ゴム製インペラーの軸部に食い込む係合爪が形成されてなるものである。
【００１１】
このポンプのゴム製インペラー取外し具では、インペラーのゴム製軸部に二本一対のレバー先端の爪片を食い込ませる動きを、基枠にねじ嵌合したアジャストねじの円盤の軸方向相対変移をレバー先端部に伝達して起こさせているため、そのためのアジャストねじの回転操作は取り外し具の軸方向からだけでよく、狭い場所であっても操作は容易となる。
【００１２】
請求項２のポンプのゴム製インペラー取外し具は、請求項１のポンプのゴム製インペラー取外し具において、二本一対をなすレバーのアジャストねじ側端の円盤上面部分張り出し、前記円盤表面と接触する部分に、前記円盤表面と接触摩擦を軽減する回転体が設けられてなるものである。
【００１３】
従って、アジャストねじを回転させ円盤の基枠に対する離間距離を大きくしてレバー先端を持ち上げ、支持軸周囲のトルクを生じさせる場合に、円盤とレバー接触部の摩擦が軽減され、操作が容易となる。
【００１４】
【実施の形態】
次に、この発明の実施の形態であるポンプのゴム製インペラー取外し具について説明する。
【００１５】
図１は、ポンプのゴム製インペラー取外し具の断面図、図２は斜視図、図３はインペラーを取り出している状態を示す断面図である。
図１において、円筒状ケーシング３、ゴム製フィン４を有するゴム製インペラー５ならびにこれを回転駆動軸６にスプライン方式で取付ける構造は従来のポンプと変わりが無い。
【００１６】
図において、２０は基枠を示し、中心に雌ねじ孔２１を有し、この雌ねじ孔２１を挟んだ対称位置に回転支持軸２２、２２が設けられている。
この基枠２０は、両端に平行アーム２３、２３が突設され、全体が図２に示すように「Ｈ」字状をなすように形成され、回転支持軸２２、２２は、この平行アーム２３、２３間に架設されている。
【００１７】
そして、それぞれの支持軸２２、２２には二本一対をなすレバー２４、２４が軸支され、支持軸２２、２２周囲に矢印で示すように回動できるようにされている。そして、後述するように、レバー２４の一端２５は中心の雌ねじ孔２１方向へＬ字状に曲折され、他端２６は互いに対向する方向へ係合用の爪片２７が突設されている。
【００１８】
基枠２０の中心孔には、一端に円盤２８が設けられ、外周に雄ねじ２９を有すると共に中心軸部に雌ねじ孔３０を設けたアジャストねじ３１が、レバー２４のＬ字状曲折部に円盤２８が接するようにねじ込まれている。
【００１９】
そして、アジャストねじ３１の中心軸部の雌ねじ孔３０には、アジャストねじの円盤２８側から長尺ボルト３２がねじ込まれ、その先端が駆動回転軸６の先端面に当接するようにされている。
【００２０】
長尺ボルト３２の一端には、回転操作が容易にできるようハンドル部３３が形成されている。
上記の構成において、レバー２４の一端のＬ字状成形部２５は、円盤２８上面に接触可能とされ、アジャストねじ３１を回転させ円盤２８の基枠に対する離間距離Ｓを増せば、レバー２４に支持軸周りのトルクが発生し、他端の爪片２７が互いの距離を狭める方向へ回動するようにされている。
【００２１】
また、爪片２７の形状は、支持軸方向へ向けて鋭角に尖るようにされ、矢印Ｘで示す軸方向引き抜き力が作用すれば、食い込む性質の爪片とされている。
次に、ゴム製インペラー取外し具の作動について説明する。
【００２２】
基枠２０に対しアジャストねじ３１をねじ込み、離間距離Ｓを小さくすることによって、レバー２４の爪片２７間の間隔が広がるようにし、また長尺ボルト３２がアジャストねじ３１から引き抜かれる方向へねじ戻す。
【００２３】
次いで、端面の蓋（図示せず）を取り外した円筒状ケーシング３内に長尺ボルト３２を支持して爪片２７、２７を、インペラー５のフィン４間に挿入する。
次いで、基枠２０を支持してアジャストねじ３１をねじ戻す方向へ回転し円盤２８の基枠２０に対する離間距離Ｓを増す。すると、離間距離Ｓの増加と共にレバー２４が支持軸２２、２２周囲に回動し、爪片２７、２７がゴム製インペラー５の軸部のゴム層に食い込む。
【００２４】
次いで、長尺ボルト３２をアジャストねじ３１に対してねじ込む方向に回転させ、長尺ボルト３２のねじ込み側先端が回転駆動軸先端に当接したあとも引き続き強制的に回転操作する。
【００２５】
すると、アジャストねじ３２は、基枠２０レバー２４と一体となって回転軸６からインペラー５を引き抜く方向へ相対移動する。
従って、インペラー５は爪片２７でレバー２４に係合しているから、インペラー５は、長尺ボルト３２のねじ込み量に従って回転軸から次第に引き抜かれていく。
【００２６】
従って、インペラー５が回転駆動軸６にスティックしていても、長尺ボルト３２のねじ込みによって、少ない力でゆっくりと確実に引き抜かれていく。また、レバー２４先端の爪片２７は、引き抜き方向の力によって食い込むように作用するので、強大な引き抜き力が作用しても爪片２７が滑ってすり抜けてしまうこともない。
【００２７】
また、インペラー５を引き抜くための長尺ボルト３２の操作は、長尺ボルト３２の延長方向から手あるいは工具を差し込めばよいから、周囲側面にスペースが無くても、工具を挿入して行くだけの空間があれば操作が可能となる。
【００２８】
従って、船内の主機周辺のきわめて狭い空間に配置されたポンプであっても容易にインペラーを引き抜くことが可能となる。
上記実施の形態として、円盤２８とレバー２４の一端のＬ字状成形部２５との接触部に図４（イ）に示すようにローラ３４を軸支し、あるいは図４（ロ）に示すようにボール３５を設け、円盤２８に対する接触摩擦を小さくするようにしても良い。
【００２９】
このように構成した場合、円盤２８を回転させレバー２４を操作した時の摩擦抵抗が小さくなって、操作が容易となる。
【００３０】
【発明の効果】
以上説明したように、この発明のポンプのゴム製インペラー取外し具によればインペラーの取り外しに際して工具の挿入方向と、インペラー引き抜き操作時の操作方向が同じなため、ポンプの周囲に殆ど余裕空間がなくても、工具さえ挿入できる空間があれば、容易にインペラーの抜き出し操作が可能となる。
【００３１】
また、レバーと円盤との接触部にローラなどを介在させれば、レバーの操作時の抵抗も軽減され操作が容易となる。
【図面の簡単な説明】
【図１】この発明の実施形態であるポンプのゴム製インペラー取外し具の断面図である。
【図２】この発明の実施形態であるポンプのゴム製インペラー取外し具の斜視図である。
【図３】インペラーを取り出している状態を示す断面図である。
【図４】レバーの部分断面図であり（イ）は、ローラとした場合、（ロ）はボールとした場合の断面図である。
【図５】従来例の説明斜視図である。
【図６】インペラーの説明斜視図である。
【符号の説明】
３　　　　円筒状ケーシング
４　　　　ゴム製フィン
５　　　　ゴム製インペラー
２０　　　基枠
２１　　雌ねじ孔
２２　　回転支持軸
２３　　平行アーム
２４　　レバー
２５　　レバーの一端
２６　　レバーの他端
２７　　爪片
２８　　円盤
２９　　雄ねじ
３０　　雌ねじ孔
３１　　アジャストねじ
３２　　長尺ボルト
【図１】
2004108305.tif 000003
【図２】
2004108305.tif 000004
【図３】
2004108305.tif 000005
【図４】
2004108305.tif 000006
【図５】
2004108305.tif 000007
【図６】
2004108305.tif 000008